(57)【要約】【課題】エアフィルターのメンテナンスの手間を低減する自動清掃装置として、ブラシとエアフィルターがお互いにこすられブラシに塵埃が絡みついたり、ブラシが摩耗もしくは変形して機能低下するなどの問題があった。【解決手段】吸引ノズル３は、ノズル８に設けた開口部１０と、開口部１０を覆いつつ開口部１０に沿って駆動可能な帯状のフィルム９を備え、フィルム９には吸引部となる吸引孔１１が設けられ、フィルム９を駆動することで吸引する場所を可変することができるものであり、フィルム９の材質をポリエチレンテレフタレート（ＰＥＴ）もしくはポリエチレンナフタレート（ＰＥＮ）にしたことを特徴とする吸引ノズル３を用いることで、エアフィルター２に付着した塵埃を自動で確実に吸引し、室外へ排出する空気調和機を提供することができる。【選択図】図１
2007292397.tif 000002
【特許請求の範囲】
【請求項１】
熱交換器を通過する空気の塵埃を除去するエアフィルターと、前記エアーフィルターに沿って駆動可能な吸引ノズルと、前記吸引ノズルに連結された吸引装置により構成される空気調和機のフィルター装置において、前記フィルター装置の塵埃除去部に当接する塵埃除去部清掃部を設けたことを特徴とする空気調和機のフィルター装置。
【請求項２】
前記塵埃除去部清掃部をエアフィルターの縦桟に設けたことを特徴とする請求項１に記載の空気調和機のフィルター装置。
【請求項３】
前記塵埃除去部清掃部をノズル収納部に設けたことを特徴とする請求項１に記載の空気調和機のフィルター装置。
【請求項４】
前記塵埃除去部清掃部は、リブ状であることを特徴とする請求項１〜３のいずれかに記載の空気調和機のフィルター装置。
【請求項５】
前記塵埃除去部清掃部は、リブ状でありリブの平面にはシボ加工してあることを特徴とする請求項１〜４のいずれかに記載の空気調和機のフィルター装置。
【請求項６】
前記塵埃除去部清掃部を、複数設けたことを特徴とする請求項１〜５のいずれかに記載の空気調和機のフィルター装置。
【請求項７】
前記請求項１〜６のいずれかのフィルター装置を用いた空気調和機。
【発明の詳細な説明】
【技術分野】
【０００１】
本発明は、フィルターの清掃を自動的に行うようにした空気調和機のフィルター装置および前記装置を具備した空気調和機に関するものである。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、フィルターのメンテナンスの手間を低減する目的で、特許文献１のようにエアフィルターに付着した塵埃をブラシにて定期的に清掃する自動清掃装置が考案されている。
【特許文献１】特開２００１−９９４７９号公報
【発明の開示】
【発明が解決しようとする課題】
【０００４】
しかしながら、上記従来技術ではブラシとエアフィルターがお互いにこすられるため、塵埃がコヨリ状になり吸引ノズルが左右駆動する程、塵埃が長がく太くなり、吸引ノズルにて吸引できなくなるなどの問題があった。
【０００５】
本発明は、前記従来の課題を解決するもので、コヨリ状の長く太くなった塵埃を吸引ノズルで吸引可能な空気調和機のフィルター装置を提供するものである。
【課題を解決するための手段】
【０００６】
前記課題を解決するため本発明は、熱交換器を通過する空気の塵埃を除去するエアフィルターと、前記エアーフィルターに沿って駆動可能な吸引ノズルと、前記吸引ノズルに連結された吸引装置により構成される空気調和機のフィルター装置において、前記吸引ノズルはノズルに設けた駆動可能な帯状のフィルムを備え、前記フィルムには吸引部となる吸引孔が設けられ、前記吸引孔の近傍には塵埃を掻き落す塵埃除去部が設けられたものであり、また、前記塵埃を除去するエアフィルターに塵埃除去部清掃部を設けたものである。
【０００７】
前記塵埃除去部清掃部によって、前記塵埃除去部が掻き落した塵埃がコヨリ状に長く太くなっても、前記塵埃除去部清掃部と前記塵埃除去部が当接することによりコヨリ状に長く太くなった塵埃が短く切られ、吸引ノズルで確実に吸引清掃することができるものである。
【発明の効果】
【０００８】
本発明のフィルター装置は、コヨリ状の長く太くなった塵埃を塵埃除去部清掃部と塵埃除去部が当接することにより、コヨリ状の長く太くなった塵埃が短く切られ吸引ノズルで確実に吸引清掃することが可能となるため、高性能なフィルター装置を提供することができ、エアフィルターに付着した塵埃を自動で確実に吸引清掃することができるものである。
【発明を実施するための最良の形態】
【０００９】
第１の発明は、熱交換器を通過する空気の塵埃を除去するエアフィルターと、前記エアーフィルターに沿って駆動可能な吸引ノズルと、前記吸引ノズルに連結された吸引装置により構成される空気調和機のフィルター装置において、前記吸引ノズルは駆動可能な帯状のフィルムを備え、前記フィルムには吸引部となる吸引孔が設けられ、前記吸引孔の近傍には塵埃を掻き落す塵埃除去部が設けられたものであり、また、前記塵埃除去部に当接する塵埃除去部清掃部を設けることで、前記塵埃除去部が掻き落した塵埃がコヨリ状に長く太くなっても、前記塵埃除去部清掃部と前記塵埃除去部が当接することによりコヨリ状に長く太くなった塵埃が短く切られ、吸引ノズルで確実に吸引清掃することが可能となるため高性能なフィルター装置を提供することができ、エアフィルターに付着した塵埃を確実に吸引清掃することが可能となる。
【００１０】
第２の発明は、特に、第１の発明のフィルター装置の塵埃除去部に当接する塵埃除去部清掃部をエアフィルターの縦桟に設けることにより、前記塵埃除去部が掻き落した塵埃がコヨリ状に長く太くなっても、前記塵埃除去部清掃部と前記塵埃除去部が当接することによりコヨリ状に長く太くなった塵埃が短く切られ、吸引ノズルで確実に吸引清掃することが可能となるため高性能なフィルター装置を提供することができ、エアフィルターに付着した塵埃を確実に吸引清掃することが可能となる。
【００１１】
第３の発明は、特に、第１の発明のフィルター装置において、塵埃除去部清掃部を吸引ノズルの収納部に設けることにより、前記塵埃除去部が掻き落した塵埃がコヨリ状に長く太くなっても、前記塵埃除去部清掃部と前記塵埃除去部が当接することによりコヨリ状に長く太くなった塵埃が短く切られ、吸引ノズルで確実に吸引清掃することが可能となるため高性能なフィルター装置を提供することができ、エアフィルターに付着した塵埃を確実に吸引清掃することが可能となる。
【００１２】
第４の発明は、特に、第１〜第３の発明のフィルター装置において、塵埃除去部に当接する塵埃除去部清掃部をリブ状にすることにより、前記塵埃除去部が掻き落した塵埃がコヨリ状に長く太くなっても、前記塵埃除去部清掃部と前記塵埃除去部が当接することによりコヨリ状に長く太くなった塵埃が短く切られ、吸引ノズルで確実に吸引清掃することが可能となるため高性能なフィルター装置を提供することができ、エアフィルターに付着した塵埃を確実に吸引清掃することが可能となる。
【００１３】
第５の発明は、特に、第１〜４のいずれかの発明のフィルター装置において、塵埃除去部に当接する塵埃除去部清掃部はリブ状であり、リブの平面にはシボ加工することにより前記塵埃除去部が掻き落した塵埃がコヨリ状に長く太くなっても、前記塵埃除去部清掃部と前記塵埃除去部が当接することによりコヨリ状に長く太くなった塵埃が短く切られ、吸引ノズルで確実に吸引清掃することが可能となるため高性能なフィルター装置を提供することができ、エアフィルターに付着した塵埃を確実に吸引清掃することが可能となる。
【００１４】
第６の発明は、特に、第１〜５のいずれかの発明のフィルター装置において、塵埃除去部に当接する塵埃除去部清掃部を複数設けることで、前記塵埃除去部が掻き落した塵埃がコヨリ状に長く太くなっても、前記塵埃除去部清掃部と前記塵埃除去部が当接することによりコヨリ状に長く太くなった塵埃が短く切られ、吸引ノズルで確実に吸引清掃することが可能となるため高性能なフィルター装置を提供することができ、エアフィルターに付着した塵埃を確実に吸引清掃することが可能となる。
【００１５】
第７の発明は、特に、第１〜６のいずれかの発明のフィルター装置を空気調和機に用いることで、エアフィルターに付着した塵埃が、コヨリ状の長く太くなった場合でも確実に吸引清掃することができる空気調和機を提供することができる。
【００１６】
以下、本発明の実施の形態について、図面を参照しながら説明する。なお、この実施の形態によって本発明が限定されるものではない。
【００１７】
（実施の形態１）
図1〜図３は本発明の実施の形態１における空気調和機のフィルター装置の構成例を示した図である。図１において熱交換器を通過する空気の塵埃を除去するエアフィルター２は、フィルターワク１に支持固定され、エアフィルター２の表面に沿って移動可能な吸引ノズル３が設けられる。吸引ノズル３はフィルターワク１の上下端に設置されたガイドレール４により、エアフィルター２と極めて狭い間隙を保って円滑に左右に移動することができる。エアフィルター上に付着した塵埃はこの吸引ノズル３より吸引される。さらに、吸引ノズル３には吸引ダクト５が連結され、さらに吸引ダクト５は吸引装置６に連結される。吸引ダクト５は吸引ノズル３の移動に差し支えないように折り曲げ可能なダクトで形成される。
【００１８】
また、図２に示すように、吸引ノズル３にはフィルム７が設けられ、一方、フィルム７には吸引孔８があり、吸引孔８の近傍には塵埃除去部９が設けられており、ステッピングモーター１０によってフィルム７は上下方向のいずれにも自在に駆動できるようになっている。また、エアフィルター２の表面に塵埃除去部清掃部１１が設けられてある。
【００１９】
以上のような構成により、塵埃除去部９が掻き落した塵埃がコヨリ状に長く太くなっても、塵埃除去部清掃部１１と塵埃除去部９が当接することによりコヨリ状に長く太くなった塵埃が短く切られ、吸引ノズル３で確実に吸引清掃することが可能なフィルター装置を提供することができる。
【００２０】
（実施の形態２）
図３は、本発明の実施の形態２を示した図であり、エアフィルター２の縦桟２aに塵埃除去部清掃部１１を設けたことにより、塵埃除去部９が掻き落した塵埃がコヨリ状に長く太くなっても、塵埃除去部清掃部１１と塵埃除去部９が当接することによりコヨリ状に長く太くなった塵埃が短く切られ、吸引ノズル３で確実に吸引清掃することが可能となるため高性能なフィルター装置を提供することができ、エアフィルター２に付着した塵埃を確実に吸引清掃することが可能なフィルター装置を提供することができる。
【００２１】
（実施の形態３）
第１の発明のフィルター装置において、塵埃除去部清掃部１１を吸引ノズル３の収納部に設けることにより、塵埃除去部９が掻き落した塵埃がコヨリ状に長く太くなっても、塵埃除去部清掃部１１と塵埃除去部９が当接することによりコヨリ状に長く太くなった塵埃が短く切られ、吸引ノズル３で確実に吸引清掃することが可能となるため高性能なフィルター装置を提供することができ、エアフィルター２に付着した塵埃を確実に吸引清掃することが可能なフィルター装置を提供することができる。
【００２２】
（実施の形態４）
図５は、本発明の実施の形態４を示した断面図であり、塵埃除去部９が掻き落した塵埃がコヨリ状に長く太くなっても、塵埃除去部清掃部１１をリブ状にすることにより塵埃除去部９が当接した時にコヨリ状に長く太くなった塵埃が短く切られ、吸引ノズル３で確実に吸引清掃することが可能となるため高性能なフィルター装置を提供することができ、エアフィルター２に付着した塵埃を確実に吸引清掃することが可能となる。
【００２３】
（実施の形態５）
図５において、本発明の実施の形態５を示した断面図であり、塵埃除去部９が掻き落した塵埃がコヨリ状に長く太くなっても、塵埃除去部清掃部１１がリブ状であり、なおかつ
リブの平面にはシボ加工することにより、塵埃除去部９が当接した時にコヨリ状に長く太くなった塵埃が短く切られ、吸引ノズル３で確実に吸引清掃することが可能となるため高性能なフィルター装置を提供することができ、エアフィルター２に付着した塵埃を確実に吸引清掃することが可能となる。
【００２４】
（実施の形態６）
図６において、本発明の実施の形態６を示した図であり、塵埃除去部９に当接する塵埃除去部清掃部１１を複数設けることにより、塵埃除去部９が当接した時にコヨリ状に長く太くなった塵埃が短く切られ、吸引ノズル３で確実に吸引清掃することが可能となるため高性能なフィルター装置を提供することができ、エアフィルター２に付着した塵埃を確実に吸引清掃することが可能となる。
【００２５】
（実施の形態７）
実施の形態１〜６のいずれかの発明のフィルター装置を空気調和機に用いることで、エアフィルター２に付着した塵埃を自動で確実に吸引清掃することができる空気調和機を提供できるものである。
【産業上の利用可能性】
【００２６】
以上のように本発明にかかる空気調和機のフィルター装置および空気調和機はエアフィルターに付着した塵埃を自動で確実に吸引清掃することができるので、空気調和機にとどまらず、空気清浄機等のフィルターを有する製品へも適用することができる。
【図面の簡単な説明】
【００２７】
【図１】本発明の実施の形態における空気調和機のフィルター装置の構成例を示した斜視図
【図２】本発明の実施の形態における吸引ノズルの構成例を示した斜視図
【図３】本発明の実施の形態における塵埃除去部清掃部の構成例を示した斜視図
【図４】本発明の実施の形態における塵埃除去部清掃部の構成例を示した断面Ａ−Ａ図
【図５】本発明の実施の形態における塵埃除去部清掃部と塵埃除去部の構成例を示した断面図
【図６】本発明の実施の形態６における塵埃除去部清掃部の構成例を示した斜視図
【符号の説明】
【００２８】
１  フィルターワク
２  エアフィルター
３  吸引ノズル
４  ガイドレール
５  吸引ダクト
６  吸引装置
７  フィルム
８  吸引孔
９  塵埃除去部
１０  ステッピングモーター
１１  塵埃除去部清掃部
【図１】
2007292397.tif 000003
【図２】
2007292397.tif 000004
【図３】
2007292397.tif 000005
【図４】
2007292397.tif 000006
【図５】
2007292397.tif 000007
【図６】
2007292397.tif 000008